(57)【特許請求の範囲】
【請求項１】
電子基板を内部にて保持した状態にて収容する袋構造の電子基板収容ケースであって、
前記電子基板を内部に挿入する際に前記電子基板を正規位置に案内するレール対と、
前記レール対と電子基板収容ケースの内壁との間に亘って形成されるリブからなり、前記電子基板が該レール対のレール間から外れて内部に挿入された場合に前記電子基板に干渉して進入を阻止する突設部と
を備えることを特徴とする電子基板収容ケース。
【請求項２】
前記レール対は、前記電子基板の表面側に配置されると共に前記電子基板の挿入出方向に延在して設けられる第１レールと、前記電子基板の裏面側に配置されると共に前記電子基板の挿入出方向に延在して設けられる第２レールとを有し、
前記第１レール及び前記第２レールのいずれかが、前記電子基板の挿出方向に長いことを特徴とする請求項１記載の電子基板収容ケース。
【請求項３】
前記レール対は、前記電子基板の表面側に配置されると共に前記電子基板の挿入出方向に延在して設けられる第１レールと、前記電子基板の裏面側に配置されると共に前記電子基板の挿入出方向に延在して設けられる第２レールとを有し、
前記第１レールと前記第２レールとが前記電子基板の挿入方向に向かうに連れて漸次近づくことを特徴とする請求項１または２記載の電子基板収容ケース。
【請求項４】
前記レール対は、前記電子基板の表面側に配置されると共に前記電子基板の挿入出方向に延在して設けられる第１レールと、前記電子基板の裏面側に配置されると共に前記電子基板の挿入出方向に延在して設けられる第２レールとを有し、
前記第１レール及び前記第２レールの前記電子基板の挿出方向側の端面の少なくともいずれかは、前記第１レールと前記第２レールとの間に向かう斜面とされていることを特徴とする請求項１〜３いずれかに記載の電子基板収容ケース。
【発明の詳細な説明】
【技術分野】
【０００１】
本発明は、電子基板収容ケースに関するものである。
【背景技術】
【０００２】
例えば、自動二輪車や自動四輪車等の車両に制御用の電子基板を設置する場合には、コネクタ部材等の電子部品が実装された上記電子基板を、袋構造の電子基板収容ケースにコネクタ部材が露出するように収容し、当該電子基板収容ケースごと設置する場合がある（特許文献１及び特許文献２参照）。
【０００３】
ところで、このような電子基板収容ケースは、特許文献１及び特許文献２に示すように、内壁に設置される奥行き方向に延在するレールを備えている。このレールは、電子基板を電子基板収容ケースに対して挿入出する際のガイドとして機能すると共に電子基板が挿入された場合に電子基板を電子基板収容ケースの内部にて保持するように機能する。
詳細には、電子基板は、両側の端部が上下に配置された一対のレール間の溝に嵌合されることによって保持され、また当該溝に沿って摺動することによって挿入出の際に案内される。
【特許文献１】特開２０００−２４４１５２号公報
【特許文献２】特開２０００−２６１１６６号公報
【発明の開示】
【発明が解決しようとする課題】
【０００４】
しかしながら、特許文献１及び特許文献２に記載されているように、電子基板に実装されるコネクタ部材は、電子基板の厚みに対してかなり高さ方向に厚い部材である。このため、電子基板収容ケースは、上記コネクタ部材を高さ方向に収容可能とすべく、電子基板の厚みよりもかなり高さ方向に大きな開口部を有している。さらに、上記レールは、電子基板収容ケースの高さ方向に対してごく一部にしか設けられていない。
このため、電子基板を電子基板収容ケースに挿入する際に、電子基板が電子基板収容ケースに対して挿入方向に対して直交する平面内で回転するように傾斜している場合には、レール間の溝に嵌合しなくとも電子基板が電子基板収容ケースの内部に収容されてしまう。
【０００５】
よって電子基板が電子基板収容ケースに対して正規の位置に収容されていない場合であっても、作業者が正規の位置に収容されているものと勘違いし、電子基板の取り付け不良が生じる虞がある。このように電子基板の取り付け不良が生じると、コネクタ部材の接続不良が生じたり、電子基板に大きな負荷がかかったりする場合がある。
【０００６】
本発明は、上述する問題点に鑑みてなされたもので、電子基板が電子基板収容ケースの正規の位置以外の位置に収容されることを防止し、電子基板の取り付け不良を防止することを目的とする。
【課題を解決するための手段】
【０００７】
上記目的を達成するために、本発明は、電子基板を内部にて保持した状態にて収容する袋構造の電子基板収容ケースであって、上記電子基板を内部に挿入する際に上記電子基板を正規位置に案内する案内部と、上記案内部と電子基板収容ケースの内壁との間に亘って形成されるリブからなり、上記電子基板が該案内部から外れて内部に挿入された場合に上記電子基板に干渉して進入を阻止する突設部とを備えることを特徴とする。
【０００８】
また、本発明においては、上記案内部は、上記電子基板の表面側に配置されると共に上記電子基板の挿入出方向に延在して設けられる第１レールと、上記電子基板の裏面側に配置されると共に上記電子基板の挿入出方向に延在して設けられる第２レールとを有し、上記第１レール及び上記第２レールのいずれかが、上記電子基板の挿出方向に長いという構成を採用する。
【０００９】
また、本発明においては、上記案内部は、上記電子基板の表面側に配置されると共に上記電子基板の挿入出方向に延在して設けられる第１レールと、上記電子基板の裏面側に配置されると共に上記電子基板の挿入出方向に延在して設けられる第２レールとを有し、上記第１レールと上記第２レールとが上記電子基板の挿入方向に向かうに連れて漸次近づくという構成を採用する。
【００１０】
また、本発明においては、上記案内部は、上記電子基板の表面側に配置されると共に上記電子基板の挿入出方向に延在して設けられる第１レールと、上記電子基板の裏面側に配置されると共に上記電子基板の挿入出方向に延在して設けられる第２レールとを有し、上記第１レール及び上記第２レールの上記電子基板の挿出方向側の端面の少なくともいずれかは、上記第１レールと上記第２レールとの間に向かう斜面とされているという構成を採用する。
【発明の効果】
【００１１】
このような本発明によれば、電子基板が案内部から外れて電子基板収容ケースの内部に挿入された場合に、突設部が電子基板に干渉することによって電子基板の電子基板収容ケースの内部への進入が阻止される。
つまり、本発明によれば、電子基板が案内部から外れている場合には、電子基板を電子基板収容ケースの内部に収容することができなく、作業者が正規の位置に電子基板が収容されているものと勘違いすることを防止することができる。
したがって、本発明によれば、電子基板が電子基板収容ケースの正規の位置以外の位置に収容されることを防止し、電子基板の取り付け不良を防止することが可能となる。
【発明を実施するための最良の形態】
【００１２】
以下、図面を参照して、本発明に係る電子基板収容ケースの一実施形態について説明する。なお、以下の図面において、各部材を認識可能な大きさとするために、各部材の縮尺を適宜変更している。
【００１３】
図１は、本実施形態の電子基板収容ケース１の斜視図である。また、図２は、本実施形態の電子基板収容ケース１を電子基板Ｐの挿入方向から見た正面図である。また、図３は電子基板収容ケース１の水平断面図である。なお、図１〜３においては、後述するレールから外れて挿入された電子基板Ｐを電子基板収容ケース１と共に図示している。
また、本実施形態の説明においては、便宜上、電子基板収容ケースの正規位置に収容された電子基板Ｐの表裏面に沿う方向を水平方向とし、電子基板Ｐの表裏面に直交する方向を鉛直方向として説明する。しかしながら、実際に取り付けられる際の電子基板収容ケース１の姿勢は、設置箇所に応じて自由である。
【００１４】
図１〜３に示すように、本実施形態の電子基板収容ケース１は、電子基板Ｐを内部にて保持した状態にて収容する袋状の構造体であり、電子基板Ｐを挿入出するための開口部１１を有している。この電子基板収容ケース１は、例えばプラスチック等により形成されている。
なお、電子基板Ｐは、配線が形成されると共に複数の電子部品が実装されたプリント基板であり、図４に示すように、電子部品の１つであるコネクタ部材Ｃが一端部Ｐ１の表面側に実装されている。このコネクタ部材Ｃは、電子基板Ｐの一端部Ｐ１から離れた側の側部Ｃ１に配列される複数の接続端子を備えている。そして、電子基板Ｐが電子基板収容ケース１の内部において正規位置に収容されている場合には、コネクタ部材Ｃの側部Ｃ１のみが電子基板収容ケース１の開口部１１（図１〜３参照）に露出され、これによってコネクタ部材Ｃと外部のハーネスとが接続可能とされる。なお、図１〜図３において、コネクタ部材Ｃの図示は省略している。
【００１５】
電子基板収容ケース１は、水平方向に対向配置された上壁部１ａ及び下壁部１ｂと、鉛直方向に対向配置される側壁部１ｃ，１ｄと、鉛直方向に配置されると共に上壁部１ａ、下壁部１ｂ、側壁部１ｃ，１ｄとに垂直に接続される奥壁部１ｅとによって袋構造とされた構成を有しており、図２に示すように、電子基板Ｐの挿入方向から見る形状が略矩形とされている。
【００１６】
そして、本実施形態の電子基板収容ケース１は、各々の側壁部１ｃ，１ｄの内部側に２本のレールからなるレール対２（案内部）が設置されている。
これらのレール対２は、鉛直方向に配列される上側レール２ａと下側レール２ｂとによって構成されている。
上側レール２ａは、電子基板Ｐが正規位置に収容されている場合に、電子基板Ｐの表面側に配置されると共に電子基板Ｐの挿入出方向に延在するレールである。一方、下側レール２ｂは、電子基板Ｐが正規位置に収容されている場合に、電子基板Ｐの裏面側に配置されると共に電子基板Ｐの挿入出方向に延在するレールである。
【００１７】
このようなレール対２を構成する上側レール２ａ及び下側レール２ｂは、電子基板Ｐを電子基板収容ケース１に対して挿入出する際のガイドとして機能すると共に電子基板Ｐが挿入された場合に電子基板Ｐを電子基板収容ケース１の内部にて保持するように機能する。
より詳細には、電子基板Ｐは、両側の端部が上下に配列された上側レール２ａと下側レール２ｂ間である溝に嵌合されることによって保持され、また当該溝に沿って摺動することによって挿入出の際に案内される。
【００１８】
そして、本実施形態の電子基板収容ケース１は、図１〜図３に示すように、電子基板Ｐがレール対２（上側レール２ａと下側レール２ｂとの間）から外れて内部に挿入された場合に電子基板Ｐに干渉して進入を阻止するリブ３を備えている。
リブ３は、側壁部１ｃに設置されるレール対２と側壁部１ｄに設置されるレール対２との各々に接続して設けられており、上側レール２ａと上壁部１ａの間に亘って形成されると共に奥壁部１ｅに接続して設けられている。
【００１９】
また、本実施形態の電子基板収容ケース１においては、図５の鉛直断面図に示すように、下側レール２ｂが上側レール２ａよりも電子基板Ｐの挿出方向に長く形成されている。
つまり、本実施形態の電子基板収容ケース１においては、下側レール２ｂが、上側レール２ａよりも電子基板Ｐの挿出方向に突出されている。
【００２０】
また、本実施形態の電子基板収容ケース１においては、上側レール２ａと下側レール２ｂとが電子基板Ｐの挿入方向に向かうに連れて漸次近づくように上側レール２ａと下側レール２ｂとが設けられている。
つまり、本実施形態の電子基板収容ケース１においては、電子基板収容ケース１の奥に向かうに連れて、上側レール２ａと下側レール２ｂとの間の間隔が電子基板Ｐの厚みに近づくように構成されている。
【００２１】
また、本実施形態の電子基板収容ケース１においては、上側レール２ａ及び下側レール２ｂの電子基板Ｐの挿出方向の端面２ａ１，２ｂ１が、上側レール２ａ及び下側レール２ｂとの間に向かう斜面とされている。
つまり、本実施形態の電子基板収容ケース１においては、上側レール２ａの端面２ａ１が、電子基板収容ケース１の奥側に向かうに連れて下方に向く斜面とされ、下側レール２ｂの端面２ｂ１が、電子基板収容ケース１の奥側に向かうに連れて上方に向く斜面とされている。
【００２２】
このような構成を有する本実施形態の電子基板収容ケース１においては、上側レール２ａと下側レール２ｂとの間である溝に電子基板Ｐの両端部を嵌合され、これらのレールに沿って電子基板Ｐを挿入することによって、電子基板Ｐが電子基板収容ケース１の正規位置に収容することができる。
【００２３】
一方、本実施形態の電子基板収容ケース１において、図１〜図３にしめすように、電子基板Ｐがレール対２から外れて挿入された場合には、リブ３が電子基板Ｐと干渉して電子基板Ｐの進入が阻止され、電子基板Ｐを電子基板収容ケース１の内部に完全に収容することができない。
つまり、本実施形態の電子基板収容ケース１によれば、電子基板Ｐがレール対２から外れている場合には、電子基板Ｐを電子基板収容ケース１の内部に収容することができなく、電子基板Ｐと電子基板収容ケース１とをネジ締め等にて固定することができない。よって、作業者が正規の位置に電子基板Ｐが収容されているものと勘違いすることを防止することができる。
したがって、本実施形態の電子基板収容ケース１によれば、電子基板Ｐが電子基板収容ケース１の正規の位置以外の位置に収容されることを防止し、電子基板Ｐの取り付け不良を防止することが可能となる。
【００２４】
また、本実施形態の電子基板収容ケース１においては、図５の鉛直断面図に示すように、下側レール２ｂが上側レール２ａよりも電子基板Ｐの挿出方向に長く形成されている。
このため、図６に示すように、電子基板Ｐを上方から電子基板収容ケース１の内部に挿入する場合に、電子基板Ｐを上側レール２ａと下側レール２ｂとの間に嵌合させることが容易となる。
【００２５】
また、本実施形態の電子基板収容ケース１においては、上側レール２ａと下側レール２ｂとが電子基板の挿入方向に向かうに連れて漸次近づくように上側レール２ａと下側レール２ｂとが設けられている。
このため、電子基板収容ケース１の開口部１１側において、上側レール２ａと下側レール２ｂとの間の距離を、電子基板Ｐを嵌合させやすいように広く確保することができる。また、電子基板収容ケース１の奥側において、上側レール２ａと下側レール２ｂとの間の距離を、電子基板Ｐのがたつきが抑制されるように狭くすることができる。
したがって、このような構成を有する本実施形態の電子基板収容ケース１によれば、電子基板Ｐの挿入をさらに容易とし、かつ、電子基板収容ケース１内における電子基板Ｐのがたつきを抑止することができる。
【００２６】
また、本実施形態の電子基板収容ケース１においては、上側レール２ａ及び下側レール２ｂの電子基板Ｐの挿出方向の端面２ａ１，２ｂ１が、上側レール２ａ及び下側レール２ｂとの間に向かう斜面とされている。
このため、挿入の際に電子基板Ｐが上側レール２ａあるいは下側レール２ｂの端面に衝突した場合であっても、端面２ａ１，２ｂ１によって、電子基板Ｐを上側レール２ａと下側レール２ｂとの間に電子基板Ｐを案内することができ、電子基板Ｐを上側レール２ａと下側レール２ｂとの間に嵌合させることが容易となる。
【００２７】
また、電子基板Ｐの進入を阻止するリブ３を備える本実施形態の電子基板収容ケース１は、スライド機構を必要としない金型を用いて形成することができる。
したがって、本実施形態の電子基板収容ケース１は、容易に製造することが可能となる。
【００２８】
以上、添付図面を参照しながら本発明に係る電子基板収容ケースの好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００２９】
例えば、上記実施形態においては、リブ３は、レール対２と上壁部１ａとの間に亘って形成された構成について説明した。
しかしながら、本発明における突設部は、リブ３に限られるものではなく、電子基板Ｐがレール対２から外れて内部に挿入された場合に電子基板Ｐに干渉して進入を阻止するものであれば良く、例えば、側壁部１ｃ，１ｄ、上壁部１ａ、上側レール２ａのいずれかから突設される突設部であっても良い。
【００３０】
また、上記実施形態においては、リブ３が奥壁部１ｅと接続された構成について説明した。
しかしながら、本発明はこれに限定されるものではなく、リブ３が奥壁部１ｅと接続されていなくとも良い。
【００３１】
また、上記実施形態においては、下側レール２ｂが上側レール２ａよりも長い構成について説明した。
しかしながら、本発明はこれに限定されるものではなく、上側レール２ａが下側レール２ｂよりも長い構成を採用することもできる。このような構成を採用した場合には、下側レール２ｂが上側レール２ａよりも電子基板Ｐの挿出方向に突出するため、電子基板Ｐを上方から電子基板収容ケース１の内部に挿入する場合に、電子基板Ｐを上側レール２ａと下側レール２ｂとの間に嵌合させることが容易となる。
【００３２】
また、上記実施形態においては、上側レール２ａの端面２ａ１と、下側レール２ｂの端面２ｂ１との各々が斜面である構成について説明した。
しかしながら、本発明はこれに限定されるものではなく、上側レール２ａの端面２ａ１と下側レール２ｂの端面２ｂ１とのいずれかのみが斜面であっても良い。
【図面の簡単な説明】
【００３３】
【図１】本発明の一実施形態における電子基板収容ケースの斜視図である。
【図２】本発明の一実施形態における電子基板収容ケースを電子基板の挿入方向から見た正面図である。
【図３】本発明の一実施形態における電子基板収容ケースの水平断面図である。
【図４】本発明の一実施形態における電子基板収容ケースに収容される電子基板の側面図である。
【図５】本発明の一実施形態における電子基板収容ケースの鉛直断面図である。
【図６】本発明の一実施形態における電子基板収容ケースに電子基板が収容される様子を示す説明図である。
【符号の説明】
【００３４】
１……電子基板収容ケース、２……レール対（案内部）、２ａ……上側レール（第１レール）、２ａ１……端面、２ｂ……下側レール（第２レール）、３……リブ（突設部）、Ｐ……電子基板
【図１】
0005060989.tif 000002
【図２】
0005060989.tif 000003
【図３】
0005060989.tif 000004
【図４】
0005060989.tif 000005
【図５】
0005060989.tif 000006
【図６】
0005060989.tif 000007